(57)【要約】    【課題】容易に理解でき、かつフィット性の良いパンツを設計できる製図方法が望まれていた。    【解決手段】婦人用パンツの基本構造を、腰部、股部および脚部の３つのブロックに分ける。腰部の設計にはスカート原型１，２を使用する。股部の設計には股ぐりゲージ３を使用する。脚部の設計は任意の図形を使用する。それら３つのブロックを三次元的に組み立てた状態を想定し、それを平面図に展開する。【選択図】            図５
2007031864.tif 000002
【特許請求の範囲】
【請求項１】
婦人用パンツの基本構造を、腰部、股部および脚部の３つのブロックに分け、
腰部の設計にはスカート原型を使用し、
股部の設計には股ぐりゲージを使用し、
脚部の設計は任意の図形を使用し、
それら３つのブロックを三次元的に組み立てた状態を想定し、それを平面上に展開することを特徴とする、婦人用パンツの製図方法。
【請求項２】
平面上に展開する際、
スカート原型のヒップラインと股ぐりゲージのヒップラインとが一致するように、
スカート原型のうちの前スカート原型のヒップライン中央側端点と股ぐりゲージのヒップライン前側端点とを合わせるとともに、股ぐりゲージのヒップラインの後側端点とスカート原型のうちの後スカート原型のヒップライン中央側端点とを合わせ、
合わせた端点を中心にして、前スカート原型、後スカート原型および股ぐりゲージの少なくとも２つを傾けることにより、所望の設計を得ることを特徴とする、請求項１記載の婦人用パンツの製図方法。
【請求項３】
平面上に展開する際、
股ぐりゲージを垂直に配置し、股ぐりゲージのヒップラインの前側端点および後側端点を起点に、垂直な前中心線および後中心線を描き、
前中心線を前方に所望の第１角度傾け、後中心線を後方へ第１角度より大きい所望の第２角度傾け、
股ぐりゲージのヒップラインの前側端点および後側端点ならびに傾けた前中心線および後中心線に合うように、前スカート原型および後スカート原型を配置することを特徴とする、請求項１記載の婦人用パンツの製図方法。
【発明の詳細な説明】
【技術分野】
【０００１】
この発明は、婦人用パンツの製図方法に関し、特に、婦人用パンツのパターン製図方法に関する。
【背景技術】
【０００２】
婦人用パンツの製図方法または製造方法に関し、特許文献１、２および３に記載の先行技術がある。
これら特許文献１および２に記載の先行技術には、婦人用スラックス等の設計に当たり、股ぐり断面曲線を得、その股ぐり断面曲線を利用して製図または製造を行うことが開示されている。
【０００３】
また、特許文献３に記載のズボン裁断用の被服製図方法は、採寸の段階で各人の体格の欠陥を発見し、それを予め補足するように裁断することを特徴とするものである。（特許文献３の第６頁左上欄参照）
【特許文献１】特開昭５９−２１１６０４号公報
【特許文献２】特開昭６１−２１５７０４号公報
【特許文献３】特開平２−１８２９０４号公報
【発明の開示】
【発明が解決しようとする課題】
【０００４】
従来の婦人用パンツの製図方法は、主に、紳士スラックスの製図を源流とする数値を基にした平面製図（二次元製図）であり、分かりにくいものである。特に、かかる平面製図において、上記特許文献３に開示されているように、採寸による補正値を加味しようとすると、製図が非常に複雑になる。
一方、上記特許文献１，２に開示のパンツの製図方法は、股ぐり断面曲線を利用するという点では優れているものの、パンツ全体の三次元製図方法にまでは発展されておらず、婦人用パンツの製図方法としては改善の余地が多々存在するものである。
【０００５】
この発明は、このような背景のもとになされたもので、容易に理解でき、かつフィット性の良いパンツを設計できる婦人用パンツの製図方法を提供することを主たる目的とする。
この発明は、また、パンツの基本構造に基づき、簡単にかつ変形の容易な三次元形状のパンツ製図を、平面上で再現することのできる婦人用パンツの製図方法を提供することである。
【課題を解決するための手段】
【０００６】
請求項１記載の発明は、婦人用パンツの基本構造を、腰部、股部および脚部の３つのブロックに分け、腰部の設計にはスカート原型を使用し、股部の設計には股ぐりゲージを使用し、脚部の設計は任意の図形を使用し、それら３つのブロックを三次元的に組み立てた状態を想定し、それを平面上に展開することを特徴とする、婦人用パンツの製図方法である。
【０００７】
請求項２記載の発明は、平面上に展開する際、スカート原型のヒップラインと股ぐりゲージのヒップラインとが一致するように、スカート原型のうちの前スカート原型のヒップライン中央側端点と股ぐりゲージのヒップライン前側端点とを合わせるとともに、股ぐりゲージのヒップラインの後側端点とスカート原型のうちの後スカート原型のヒップライン中央側端点とを合わせ、合わせた端点を中心にして、前スカート原型、後スカート原型および股ぐりゲージの少なくとも２つを傾けることにより、所望の設計を得ることを特徴とする、請求項１記載の婦人用パンツの製図方法である。
【０００８】
請求項３記載の発明は、平面上に展開する際、股ぐりゲージを垂直に配置し、股ぐりゲージのヒップラインの前側端点および後側端点を起点に、垂直な前中心線および後中心線を描き、前中心線を前方に所望の第１角度傾け、後中心線を後方へ第１角度より大きい所望の第２角度傾け、股ぐりゲージのヒップラインの前側端点および後側端点ならびに傾けた前中心線および後中心線に合うように、前スカート原型および後スカート原型を配置することを特徴とする、請求項１記載の婦人用パンツの製図方法である。
【発明の効果】
【０００９】
請求項１記載の発明によれば、婦人用パンツの基本構造を、腰部、股部および脚部の３つのブロックに分解した。このため、腰部の設計には、元々立体裁断により作成されている公知のスカート原型を使用することができる。また、股部の設計には、人体の下半身中央の縦断面からとった股ぐりゲージを使用する。そして、これらスカート原型および股ぐりゲージを組み合わせることにより、婦人用パンツの三次元形状を平面上で再現することが可能になる。
【００１０】
つまり、従来の婦人用パンツの平面製図では再現できなかったパンツの幅および奥行の関係が明らかになり、設計者の感性を最大限に活かしたパターン設計が可能になる。
また、設計者（婦人服等の設計者）は、日頃から慣れた親しんでいるスカート原型を使用し、それに股ぐりゲージを組み合わせるだけの単純な方式を用いて、初心者でも容易にパンツのパターンを理解でき、所望のパンツを設計することができる。
【００１１】
さらに、股ぐりゲージは、採寸によって顧客別に準備すれば、いわゆるオーダーメイド婦人用パンツを製造する場合に、従来に比べてフィット性が飛躍的に向上したパンツを設計することができる。
請求項２および３記載の発明では、股ぐりゲージのヒップラインの前後端点と、前後スカート原型のヒップラインの端点とを中心に、スカート原型および股ぐりゲージの組み合わせ角度を変えることにより、標準体や反身体、スラックスタイプやジーンズタイプなど、あらゆるデザインのパンツを自由に設計することが可能となる。
【００１２】
すなわち、股ぐりゲージおよびスカート原型のヒップラインの端点を合わせ、股ぐりゲージおよびスカート原型の相互の角度を変化させることにより、互いに相関関係が作用して、運動量とシルエットとのバランスが自動的に保たれる。従って、設計の際に股ぐりゲージおよびスカート原型の傾きを変化させることによって、パンツを自由に設計することが可能となる。
【発明を実施するための最良の形態】
【００１３】
以下には、図面を参照して、この発明の好ましい実施形態について具体的に説明をする。
図１は、スカート原型を示す図であり、１は前スカート原型、２は後スカート原型である。前スカート原型１のＨ１−Ｈ２は、ヒップラインＨＬ１であり、後スカート原型２のＨ３−Ｈ４は、同様にヒップラインＨＬ２である。
【００１４】
かかるスカート原型１，２は、立体裁断により作成されたもので、公知である。
図２は、股ぐりゲージの一例を示す図である。股ぐりゲージ３は、人体の下半身中央の縦断面に基づいて作られたものである。股ぐりゲージは、図３Ａに示すように、自在曲線定規（８０ｃｍ以上のもの）４および外パス５（厚みが測れるノギスのようなもの）を用い、人体を採寸することによって得られる。具体的には、図３ＢおよびＣに示すように、自在曲線定規４および外パス５を用いて、人体の下半身を採寸して作成される。
【００１５】
図２に示す股ぐりゲージ３におけるＨ５−Ｈ６はヒップラインＨＬ３であり、ＷＬはウエストラインであり、上下に延びる垂線は中心線１０であって、その垂線と股ぐりゲージの下端との交点がクロッチポイントＣＰである。
この発明では、図４に示すように、前スカート原型１、後スカート原型２および股ぐりゲージ３ならびに前脚部６および後脚部７を組み合わせることにより、パンツの三次元形状を得る。腰部はスカート原型１，２が用いられて決められ、股部は股ぐりゲージが用いられて決められる。そしてこのパンツの三次元形状を平面上で再現することにより、従来の平面製図では再現できなかったパンツの幅と奥行との関係が明確になる。
【００１６】
図５に、前スカート原型１、後スカート原型２および股ぐりゲージ３を組み合わせてパンツの三次元形状を平面上で再現する仕方を示す。
図５に示すように、股ぐりゲージ３のヒップラインＨＬ３の前側端点Ｈ５と前スカート原型１のヒップラインＨＬ１の中央側端点Ｈ２とを合わせる。また、股ぐりゲージ３のヒップラインＨＬ３の後側端点Ｈ６と後スカート原型２のヒップラインＨＬ２の中央側端点Ｈ３とを合わせる。そして、これらＨ２（Ｈ５）およびＨ３（Ｈ６）を支点にして、前スカート原型１および後スカート原型２をそれぞれ股ぐりゲージ３に対して傾ける。すると、その傾き量の差によって、脇点の高さに差が生じ、運動量が発生する。「運動量」とは、パンツの設計時に必要な要素で、人間の脚部の動作を考慮して、脚部を前方へ曲げたときにウエストの後ろ側が下方に引っ張られないように付加すべき寸法要素である。
【００１７】
図６は、パンツの三次元形状を平面上で再現する別の仕方を示す。図６に示すように、体型変化等により、端点Ｈ５を支点にして股ぐりゲージ３を傾けると、それに伴って後スカート原型２も傾き、運動量が発生する。
このように、スカート原型１，２のヒップライン端点Ｈ２、Ｈ３と、股ぐりゲージ３のヒップラインＨＬ３の前後端点Ｈ５、Ｈ６とをそれぞれ合わせて、その合わせた点を支点にして、スカート原型１，２または股ぐりゲージ３の傾きを変えることによって、標準体や反身体、スラックスタイプやジーンズタイプなど、あらゆるデザインのパンツを自由に設計することが可能になる。
【実施例】
【００１８】
次に、具体的な、婦人用パンツの製図方法について説明をする。
［方式その１］パンツ基本形の製図方法
図７を参照して、股ぐりゲージ３を垂直に置き、ヒップラインＨＬ３の両端点Ｈ５、Ｈ６を起点に、前後の中心線ｘ０およびｙ０を描く。そして、運動量を得るために、前中心線ｘ０を前方に所望の角度θ１倒して、前中心線ｘ１を作る。また、後中心線ｙ０は、後方に所望の角度θ２（＞θ１）倒して、後中心線ｙ１を作る。θ１＜θ２とするのは、一般に、脚は後方より前方に蹴り出す方が多いので、前より後の倒しを多くして、運動量を確保するためである。
【００１９】
次に、図８を参照して、股ぐりゲージ３に対して前スカート原型１および後スカート原型２を配置する。その際、前中心線ｘ１と前スカート原型１の中央辺とを合わせ、かつ、ヒップラインＨＬ１の端点Ｈ２を端点Ｈ５に合わせる。同様に、後スカート原型２の中央辺を後中心線ｙ１に合わせ、かつ、ヒップラインＨＬ２の端点Ｈ３を端点Ｈ６に合わせる。
【００２０】
次いで、図９を参照して、股ぐりゲージ３を使い、ヒップラインＨＬ３の前側端点Ｈ５を起点に、クロッチポイントＣＰの高さを下げるように、股ぐりゲージ３を回転させ、股ぐり線１１を引き直す。クロッチポイントＣＰからは、水平に延びるクロッチラインＣＬ１を引く。そして股下線１２を股ぐりゲージ３の中心線から延長して引く。
次に、図１０を参照して、前スカート原型１の脇線をクロッチラインＣＬ１まで延長し、点Ｓ１〜Ｓ２の距離Ｈ１を測る。後スカート原型２の脇線１４も延長し、点Ｓ１′〜Ｓ２′を、点Ｓ１〜Ｓ２と同距離Ｈ１とし、点Ｓ２′から水平にクロッチラインＣＬ２を引く。
【００２１】
図１１を参照して、股ぐりゲージ３を使用し、図９で行ったのと同様、股ぐりゲージ３のクロッチポイントＣＰが後クロッチラインＣＬ２にぶつかるまで股ぐりゲージ３を回転させる。そして後股ぐり線１５を描き直す。また、股下線１６を、股ぐりゲージ３の中心線１０から延長して引く。
図１２に、以上のようにして設計することにより完成された腰部から股部までのパンツの平面展開図を示す。
【００２２】
次に、図１３を参照して、脚部６をクロッチラインＣＬ１に合わせ、脚部７をクロッチラインＣＬ２に合わせる。このとき、目安として、前脚部６および後脚部７共に、クロッチラインＣＬ１，ＣＬ２のほぼ中央にクリーズライン１７，１８を合わせる。脚部６，７を合わせる位置は体型により異なる。Ｏ脚であれば外側に、Ｘ脚であれば内側に脚部を移動させる。
【００２３】
そして、図１４に示すように、前および後につき、それぞれ、脇線１３，１４および股下線１２，１６を自然なカーブで引き直す。クリーズライン１７，１８はウエストまで延長する。
このようにして完成したパンツ基本型の完成図を、図１５に示す。
［方式その２］機能性パンツの製図方法
次に、この発明の他の実施例として、機能性パンツの製図方法について説明をする。  まず、図１６を参照して、股ぐりゲージ３を中心線１０より任意に傾ける。垂直線と股ぐりゲージ３の股ぐり線との交点を新しいクロッチポイントＣＰとする。この操作をすることで、機能性を重視したパンツの設計が可能となる。すなわち、運動量を多く確保したパンツの設計ができる。
【００２４】
次に、図１７を参照して、先に説明したのと同様に（図７および図８で説明したのと同様に）、前中心線ｘ１および後中心線ｙ１を描き、これら中心線ｘ１，ｙ１およびヒップラインＨＬ３の端点Ｈ５，Ｈ６に合わせるように、スカート原型１，２を使って腰部および股部を設計する。
図１８を参照して、股ぐりゲージ３を使い、点Ｈ５を起点にクロッチポイントＣＰの高さを下げるように股ぐりゲージ３を回転させ、前クロッチラインＣＬ１を水平に引き、股ぐり線１１を引き直す。同様に、股ぐりゲージ３を点Ｈ６を起点に回転させて、後股ぐり線１５を引き直すとともに、クロッチラインＣＬ２を水平に引く。これらの設計は、図９〜１１で説明した手法と同様である。
【００２５】
図１９を参照して、脚部６，７をクロッチラインＣＬ１，ＣＬ２で合わせる。このとき、後の脚部７を点Ｓ２′を起点に股下側を任意に重ねる。この重なりを延ばしとして処理する。
そして、図２０に示す機能性パンツの製図が完成する。
この発明は、以上説明した実施形態に限定されるものではなく、種々の変更が可能である。
【００２６】
要は、この発明は、婦人用パンツの構造を、腰部、股部および脚部の３つのブロックに分け、腰部の設計にはスカート原型を使用し、股部の設計には股ぐりゲージを使用することによって、フィット性のあるあらゆるデザインのパンツを自由に設計することができることを特徴とするものである。
【図面の簡単な説明】
【００２７】
【図１】スカート原型を示す図である。
【図２】股ぐりゲージの一例を示す図である。
【図３】股ぐりゲージを採寸により作る作り方を説明するための図である。
【図４】前スカート原型１、後スカート原型２および股ぐりゲージ３ならびに前脚部６および後脚部７を組み合わせることにより、パンツの三次元形状を得ることを説明する図である。
【図５】前スカート原型１、後スカート原型２および股ぐりゲージ３を組み合わせてパンツの三次元形状を平面上で再現する仕方を示す図である。
【図６】パンツの三次元形状を平面上で再現する別の仕方を示す図である。
【図７】パンツ基本形の製図方法を示す図である。
【図８】パンツ基本形の製図方法を示す図である。
【図９】パンツ基本形の製図方法を示す図である。
【図１０】パンツ基本形の製図方法を示す図である。
【図１１】パンツ基本形の製図方法を示す図である。
【図１２】パンツ基本形の製図方法を示す図である。
【図１３】パンツ基本形の製図方法を示す図である。
【図１４】パンツ基本形の製図方法を示す図である。
【図１５】パンツ基本形の完成図である。
【図１６】機能性パンツの製図方法を示す図である。
【図１７】機能性パンツの製図方法を示す図である。
【図１８】機能性パンツの製図方法を示す図である。
【図１９】機能性パンツの製図方法を示す図である。
【図２０】機能性パンツの完成図である。
【符号の説明】
【００２８】
１    前スカート原型
２    後スカート原型
３    股ぐりゲージ
６    前脚部
７    後脚部
【図１】
2007031864.tif 000003
【図２】
2007031864.tif 000004
【図３】
2007031864.tif 000005
【図４】
2007031864.tif 000006
【図５】
2007031864.tif 000007
【図６】
2007031864.tif 000008
【図７】
2007031864.tif 000009
【図８】
2007031864.tif 000010
【図９】
2007031864.tif 000011
【図１０】
2007031864.tif 000012
【図１１】
2007031864.tif 000013
【図１２】
2007031864.tif 000014
【図１３】
2007031864.tif 000015
【図１４】
2007031864.tif 000016
【図１５】
2007031864.tif 000017
【図１６】
2007031864.tif 000018
【図１７】
2007031864.tif 000019
【図１８】
2007031864.tif 000020
【図１９】
2007031864.tif 000021
【図２０】
2007031864.tif 000022